(57)【特許請求の範囲】
【請求項１】
建物の外壁側から斜め下方向に下屋の屋根が形成され、その下屋の屋根の水上側に小屋裏空間と屋外とを連通する通気部が形成された通気構造を有する枠組壁工法住宅において、下屋の屋根の水上側に位置する建物外壁の構造用合板に横通気受材を取付けると共に、下屋の屋根用合板の上から横通気受材の上端部まで防水シートを取付け、さらに、屋根用合板の防水シートの上に屋根材を施工し、屋根材の水上側の端部の上に笠木を取付け、その笠木の上と、横通気受材の上に取付けた防水シートの上面に、Ｌ型形状の水返し部と水戻し部が形成された下部雨押さえ板金を取付けると共に、このようにして取付けた下部雨押さえ板金に被せるように上部雨押さえ板金を取付け、上部雨押さえ板金と下部雨押さえ板金の間の隙間に、下屋の小屋裏空間と屋外とを連通する通気部が形成された事を特徴とする雨押さえ板金の取付構造。
【請求項２】
下部雨押さえ板金の形状は、最下部に屋根の表面に当接する下側水切部が形成され、その上部にはＬ型形状の笠木押えが形成され、さらに、その上部には、同じくＬ型形状の水返し部と水戻し部が形成され、さらに、その上部には外壁面と平行になるように水抜き垂直部が形成され、水抜き垂直部の上端には、コの字型の折曲部が形成された事を特徴とする請求項１に記載の雨押さえ板金の取付構造。
【請求項３】
下部雨押さえ板金の中間部に形成したＬ型形状の水返し部と水戻し部が交わる突端の真上に、上部雨押さえ板金の下部の下部水切部の下端が位置するように構成し、その水返し部と水戻し部が交わる突端と、下部水切部の下端の隙間を、約１０ｍｍとした事を特徴とする請求項１に記載の雨押さえ板金の取付構造。
【請求項４】
下部雨押さえ板金の上部の、コの字型の折曲部の外面と、上部雨押さえ板金の下部の下部水切部との隙間を約１０ｍｍとした事を特徴とする請求項１に記載の雨押さえ板金の取付構造。
【発明の詳細な説明】
【技術分野】
【０００１】  本発明は、枠組壁工法住宅の下屋の小屋裏換気構造に関する。
【背景技術】
【０００２】  これまでの枠組壁工法住宅の下屋の屋根は、屋根用合板の上に屋根材（コロニアル等）を施工し、建物の外壁側から斜め下方向に傾斜して軒を形成し、下屋の小屋裏空間の換気は、下屋の屋根の水下側の軒天部分に設けられた換気口により自然に空気を吸排気させる構造となっていた。この下屋の屋根の水上側は、雨水が下屋の小屋裏内部に浸入するのを防ぐため、外壁と下屋の境目に雨押さえ板金を備えていたため、下屋の小屋裏空間の空気は下屋の屋根の水上側から建物の外に換気されない構造になっていた。【０００３】  このように、小屋裏空間の空気を軒天部分に開口した換気口のみで換気していたため、下屋の小屋裏空間の空気が十分に換気されないといった問題があった。さらに夏季には直射日光を受けた下屋の屋根の影響で、下屋の小屋裏空間の温度が上昇し、それに伴って下屋の室内の温度も上昇して夜になっても室温が下がらず、不快で寝苦しい夜を過さなければならなかった。
【先行技術文献】
【実用新案文献】
【０００４】
【実用新案文献】
公開実用新案広報  昭５７−１５３６１４
【０００５】  上記のような、実用新案文献においては、下屋の屋根の水上側にも小屋裏空間の空気を換気するための雨押さえ板金を取付け、下屋の小屋裏空間の空気を換気させる試みは行われたが、このような構造では、通常の小雨の場合には小屋裏空間への雨の浸入を防止して小屋裏空間の換気も有効に行われたが、台風のような横殴りの強い雨に対しては小屋裏空間への雨水の浸入を防ぎ切れず、雨押さえ板金の機能とては効果が限定的であった。
【０００６】  さらに、新築住宅に係る「住宅の品質確保の促進等に関する法律」により、雨水の浸入を防止する部分に発生した瑕疵に対して、１０年間の保証期間が定められたため、下屋への雨水の浸入を恐れ、下屋の小屋裏空間の空気を換気させるための、有効な雨押さえ板金の開発は進んでいなかった。
【発明の概要】
【発明が解決しようとする課題】
【０００７】  下屋の小屋裏空間に籠りやすい熱気や湿気を効率良く換気する事が出来るようになれば、夏季の下屋の室温を下げる事が出来るようになると共に、下屋の小屋裏内部に溜まる湿気を放出して結露の発生を防ぎ、住まいの耐久性と快適性を高めることが可能となる。【０００８】  本発明は、上記のような従来の問題点に鑑み、台風のような横殴りの雨の場合でも雨水が小屋裏空間に浸入すること無く、下屋の小屋裏空間を効果的に換気することが出来る小屋裏換気構造を提供することを課題とする。
【課題を解決するための手段】
【０００９】  上記のような、雨押さえ板金の通気口から雨水が小屋裏に浸入するといった問題を解決するため、本発明においては、下屋の屋根の水上側に取付ける雨押さえ板金を、下部雨押さえ板金と、その下部雨押さえ板金に被せる上部雨押さえ板金の、２枚の雨押さえ板金で構成し、その下部雨押さえ板金に被せる上部雨押さえ板金の形状を、台風のような強風時の雨を想定し、雨押さえ板金の試作を繰り返し、さらに横殴りの雨を実現するための放水テストも繰り返し、下部雨押さえ板金と上部雨押さえ板金の隙間から雨水が浸入しても小屋裏空間まで雨水が達しない構造の雨押さえ板金を発明した。【００１０】  かかる課題を解決するため、請求項１に記載の発明は、建物の外壁側から斜め下方向に下屋の屋根が形成され、その下屋の屋根の水上側に小屋裏空間と屋外とを連通する通気部が形成された通気構造を有する枠組壁工法住宅において、下屋の屋根の水上側に位置する建物外壁の構造用合板に横通気受材を取付けると共に、下屋の屋根用合板の上から横通気受材の上端部まで防水シートを取付け、さらに、屋根用合板の防水シートの上に屋根材を施工し、屋根材の水上側の端部の上に笠木を取付け、その笠木の上と、横通気受材の上に取付けた防水シートの上面に、Ｌ型形状の水返し部と水戻し部が形成された下部雨押さえ板金を取付けると共に、このようにして取付けた下部雨押さえ板金に被せるように上部雨押さえ板金を取付け、上部雨押さえ板金と下部雨押さえ板金の間の隙間に、下屋の小屋裏空間と屋外とを連通する通気部が形成された事を特徴とする。【００１１】  請求項２に記載の発明は、請求項１に記載の構造に加え、下部雨押さえ板金の形状は、最下部に屋根の表面に当接する下側水切部が形成され、その上部にはＬ型形状の笠木押えが形成され、さらに、その上部には、同じくＬ型形状の水返し部と水戻し部が形成され、さらに、その上部には外壁面と平行になるように水抜き垂直部が形成され、水抜き垂直部の上端には、コの字型の折曲部が形成された事を特徴とする。【００１２】  請求項３に記載の発明は、請求項１に記載の構造に加え、下部雨押さえ板金の中間部に形成したＬ型形状の水返し部と水戻し部が交わる突端の真上に、上部雨押さえ板金の下部の下部水切部の下端が位置するように構成し、その水返し部と水戻し部が交わる突端と、下部水切部の下端の隙間を、約１０ｍｍとした事を特徴とする。【００１３】  請求項４に記載の発明は、請求項１に記載の構造に加え、下部雨押さえ板金の上部の、コの字型の折曲部の外面と、上部雨押さえ板金の下部の下部水切部との隙間を約１０ｍｍとした事を特徴とする。
【発明の効果】
【００１４】  請求項１に記載の発明によれば、下屋の屋根の水上側に対して建物外壁の構造用合板に、横通気受材を取付けると共に、屋根用合板の上から横通気受材の上端部まで防水シートを取付け、さらに、屋根用合板の防水シートの上に屋根材を施工し、屋根材の水上側の端部の上に笠木を取付け、その笠木の上と横通気受材の上に取付けた防水シートの上面に、Ｌ型形状の水返し部と水戻し部が形成された下部雨押さえ板金を取付けると共に、このようにして取付けた下部雨押さえ板金に被せるように上部雨押さえ板金を取付け、上部雨押さえ板金と、下部雨押さえ板金の間の隙間に下屋の小屋裏空間と屋外とを連通する通気部が形成された事により、下部雨押さえ板金のＬ型形状の水返し部が雨水の浸入を減少させると共に、水戻し部に浸入した雨水に対してもテーパー形状に形成された水戻し部が雨水を効率良く下屋の屋根に排水する事を可能とし、簡単な構造で構成した、２枚の上部雨押さえ板金と下部雨押さえ板金の間に設けられた通気部より効率的に小屋裏空間の内部に溜まった空気を建物の外に換気する事が可能となった。【００１５】  請求項２に記載の発明によれば、下部雨押さえ板金の形状は、最下部に屋根の表面に当接する下側水切部が形成され、その上部にはＬ型形状の笠木押えが形成され、さらに、その上部には、同じくＬ型形状の水返し部と水戻し部が形成され、さらに、その上部には外壁面と平行になるように水抜き垂直部が形成され、水抜き垂直部の上端には、コの字型の折曲部が形成された事により、強風時の雨に対してＬ型形状の水返し部が雨水返しとしての効果を発揮すると共に、上部雨押さえ板金と下雨押さえ板金の間に設けた水溜り部に浸入した雨水は、斜めに形成されたＬ型形状の水戻し部より効率良く下屋の屋根に排出する事が可能となった。【００１６】  請求項３に記載の発明によれば、下部雨押さえ板金の中間部に形成したＬ型形状の水返し部と水戻し部が交わる突端の真上に、上部雨押さえ板金の下部の下部水切部の下端が位置するように構成した事により、２階の外壁に吹き付けた雨水が乱れず流下するため、上部雨押さえ板金と下部雨押さえ板金の隙間の通気部から雨水が浸入するのを減少させると共に、その水返し部と水戻し部が交わる突端と、下部水切部の下端の隙間を、約１０ｍｍとした事により、相反する条件である、下屋の小屋裏空間の換気と雨押さえ板金内部への雨水の浸入を減少させる事が同時に可能となった。【００１７】  請求項４に記載の発明によれば、下部雨押さえ板金の上部の、コの字型の折曲部の外面と、上部雨押さえ板金の下部の下部水切部との隙間を約１０ｍｍとした事により、上部雨押さえ板金の下部の下部水切部と、下部雨押さえ板金の水返し部と水戻し部が交わる突端の約１０ｍｍの隙間から浸入した雨水が、下屋の小屋裏空間に浸入するのを防ぐ事が可能となった。
【実施例】
【００１８】  以下、この発明の実施の形態について説明する。
【発明を実施するための形態】
【００１９】  図１及至図１３には、この発明の実施の形態を示す。
【００２０】  図１は、枠組壁工法住宅の下屋の小屋裏空間の換気方法についての実施形態を側面図で示す。この枠組壁工法住宅１には下屋６が備えられ、下屋６の屋根８は、図２に示すように、屋根用合板（野地板）２７の上に防水シート２８が施工され、その上に屋根材（コロニアル）２６が形成され、枠組壁工法住宅１の２階外壁３から斜め下方向に傾斜して突出している。
【００２１】  下屋６の小屋裏空間５の通気構造に関しては、屋根８の軒下１１に水下側の通気部９が設けられると共に、屋根８の水上側には、小屋裏空間５と屋外とを連通する水上側の通気部４が形成され、水上側の通気部４には小屋裏空間５に雨水が浸入しないように、雨押さえ板金が取付けられている。このように構成された小屋裏空間５の通気において、外気は、点線と矢印７で示すように水下側の通気部９から小屋裏空間５に流れ込み、小屋裏空間５を上昇し水上側の通気部４から屋外に排気される自然換気が行われ、小屋裏空間５を効率的に換気することができる。
【００２２】  図２は、図１で説明した下屋６の屋根８の水上側（図１のＡ部）を説明するための断面図である。枠組壁工法住宅の場合は、スタット（ツーバイ材）４１と構造用合板３５により外壁が構成され、その構造用合板３５の外壁側に垂木受材３２が取付けられ、垂木受材３２の上部に垂木（ツーバイ材）３１が斜めに傾斜して取付けられる。このように取付けられた垂木（ツーバイ材）３１の上部に屋根用合板（野地板）２７が外壁の構造用合板３５との間に隙間（通気層）を設けて取付けられ、つづいて小屋裏空間５の換気が行われるように、垂木（ツーバイ材）３１の水上側の構造用合板３５に横通気受材３７が取付けられると共に、隣り合う垂木（ツーバイ材）３１と垂木（ツーバイ材）３１との間の、屋根用合板（野地板）２７側の空間に通気層２９が設けられる。
【００２３】  このようにして取付けられた屋根用合板（野地板）２７から横通気受材３７の上端部まで防水シート２８が取付けられる。さらに防水シート２８の上部には屋根材（コロニアル）２６が取付けられると共に、屋根材（コロニアル）２６の壁側の上部には笠木３６が釘２４により固定される。
【００２４】  このように構成された屋根材（コロニアル）２６と笠木３６と、さらに、横通気受材３７の上に施工された防水シート２８に被せるように、ガルバニューム鋼板等で作られた金属板の下部雨押さえ板金２３が釘２５で笠木３６に固定され、釘２５の頭にコーキング（図示せず）をして釘２５の隙間からの雨水の浸入を防止する。
【００２５】  さらに、下部雨押さえ板金２３の上部には、下部雨押さえ板金２３に被せるように上部雨押さえ板金２２が被せられ、上部雨押さえ板金２２の上部を釘４０により構造用合板３５に固定する。つづいて、上部雨押さえ板金２２の上部の構造用合板３５に固定された板金部分に防水シート４２を取付けると共に、防水シート４２の外側には縦通気受材２１が縦方向に取付けられる。このように構成された縦通気受材２１に留付金具（図示せず）が取付けられ、留付金具（図示せず）に外壁用パネル（サイディング）２０を引っ掛けるようにして取付ける。
【００２６】  なお、外壁を構成する構造用合板３５のスタット（ツーバイ材）４１とスタット（ツーバイ材）４１の間には断熱材３４（ロックウール又は発泡ウレタン等）が施工され、スタット（ツーバイ材）４１の室内側には石膏ボード３３が取付けられる。さらに下屋の屋根を構成する屋根用合板（野地板）２７の垂木（ツーバイ材）３１と垂木（ツーバイ材）３１との間の空間には、屋根用合板（野地板）２７側に、下屋の小屋裏空間の換気を行うための屋根断熱通気層用スペーサー（図６で説明する）が取付けられ、その下屋側の垂木（ツーバイ材）３１と垂木（ツーバイ材）３１との間の空間に断熱材３０（ロックウール又は発泡ウレタン等）が施工される。
【００２７】  つづいて図３において、上部雨押さえ板金２２と下部雨押さえ板金２３の形状を詳細に説明する。図３ａは上部雨押さえ板金２２の側面図である。上部雨押さえ板金２２の材質はガルバニューム鋼板等の金属板で作られ、上部雨押さえ板金２２の上部に位置する上部取付部５１の長さは１２０ｍｍで垂直に形成され、その下に位置するテーパー部５２は外壁面に降り込んだ雨水が流れ出やすいように斜め形状で形成され、さらに、その下に位置する下部水切部５３の長さは１１０ｍｍで垂直に形成され、下部水切部５３の最下部は、ガルバニューム鋼板等の切断部の腐食を防ぐために室内側に折り曲げられる。
【００２８】  図３ｂは下部雨押さえ板金２３の側面図である。下部雨押さえ板金２３の材質も上部雨押さえ板金２２と同様にガルバニューム鋼板等の金属板で作られ、下部雨押さえ板金２３の下部に位置する下部水切部６０は、図２で説明したように屋根材（コロニアル）２６に当接するように設置させるため屋根材（コロニアル）２６を屋根に斜めに取付ける角度と同じように斜め形状に形成される。さらに下部水切部６０の下端は、ガルバニューム鋼板等の切断部の腐食を防ぐために屋根材（コロニアル）２６側に折り曲げられる。その上に位置する笠木押え５８は、下部雨押さえ板金２３を釘で固定するための穴（図示せず）が開けられた取付部５９と、図２で説明した笠木２５の上に被せる笠木押え部６６とで構成され、その上部に形成されるＬ型形状の水返し部５７と水戻し部５６の形状は、雨水が下屋に入り込まないように、笠木押え部６６と水返し部５７が直角に構成され、水返し部５７の高さは、笠木押え部６６から２５ｍｍとする。水戻し部５６は、図３ｃで説明するように水溜り部６１に浸入した雨水を、すばやく下部雨押さえ板金２３の外側に排出するために斜め形状に形成され、その長さは４０ｍｍとする。さらに水戻し部５６の上部に位置する水抜き垂直部５５の高さは９０ｍｍとし、外壁面と平行になるように一直線で垂直に形成される。さらに水抜き垂直部５５の上部は折り曲げられてコの字型に形成され、折曲部５４の長さは２５ｍｍとする。
【００２９】  このように形成された上部雨押さえ板金２２と下部雨押さえ板金２３は、図３ｃで示すように下部水切部５３と折曲部５４の隙間６４を約１０ｍｍとなるように組合わせると共に、下部水切部５３の下端と、水戻し部５６と水返し部５７の突端６２が垂直になるように構成し、その下部水切部５３の下端と水返し部５７の突端６２との隙間６５が約１０ｍｍとなるように組合わせ取付けられる。
【００３０】  このように上部雨押さえ板金２２と下部雨押さえ板金２３を組合わせる事により、強風で建物の外壁面に吹き付けられた雨水は、上部雨押さえ板金２２の下部水切部５３を垂直に形成した事により、雨水が乱れずに流下し、斜めに形成された水返し部５７により下屋の屋根部分に押し戻されると共に、隙間６５から浸入した雨水は、水溜り部６１と水溜り上部６３の空間を縦長（水抜き垂直部５５を９０ｍｍとした）に構成し、上部雨押さえ板金２２の下部水切部５３と下部雨押さえ板金２３の折曲部５４との隙間６４を約１０ｍｍとした事により、台風のような強い雨を想定し、横殴りの雨を実現する放水テストを繰り返しても、下部雨押さえ板金２３と上部雨押さえ板金２２の隙間から浸入した雨水が下屋通気部３９まで到達しない事が実験により実証された。
【００３１】  図４は、図２で説明した小屋裏空間と外壁通気の空気の流れる方向を点線と矢印で示す。図１でも説明した通り、外気は軒下１１に設けられた水下側の通気部９から小屋裏空間５の通気層２９に流れ込み、流れ込んだ外気は、図４の点線と矢印４８で示すように横通気受材３７の間の通気層を通って通気層３９に流れ、上部雨押さえ板金２２と下部雨押さえ板金２３の間に設けられた水溜り部６１を通って、隙間６５から屋外に換気される。さらに、外壁内部の換気については、点線と矢印４７で示すように、上部雨押さえ板金２２のテーパー部５２と外壁用パネル（サイディング）２０と構造用合板３５の隙間の縦通気受材２１の隙間から、図１２で示すように縦通気受材２１の隙間に設けられた通気層９２を経由して換気される。
【００３２】  図５及至図１３は、これまで図１及至４で説明してきた雨押さえ板金の構造と施工方法について、分かりやすいように斜視図で示す。
【００３３】  図５は、枠組壁工法住宅の外壁を構成するスタット（ツーバイ材）４１に構造用合板３５が釘７１で取付けられ、その構造用合板３５には垂木（ツーバイ材）３１を固定するための垂木受材３２が構造用合板３５に対して横方向に釘７０で取付けられ、その垂木受材３２の上部には外壁の構造用合板３５から斜め下方向に垂木（ツーバイ材）３１が釘７２によって取付けられる。
【００３４】  図６は、図５で説明した構造用合板３５と、垂木（ツーバイ材）３１に、横通気受材３７と屋根用合板２７を取付けた状態を示す。垂木（ツーバイ材）３１に屋根用合板２７を取付ける際には、構造用合板３５と屋根用合板２７の間に小屋裏換気用の通気層を形成するため、屋根用合板２７を垂木（ツーバイ材）３１に取付ける際には、屋根用合板２７の上端部と構造用合板３５とが当接しないように、屋根用合板２７の上端部と構造用合板３５の間に通気層７９を設けて釘８４により垂木（ツーバイ材）３１に取付けられる。さらに、垂木（ツーバイ材）３１に取付けられた屋根用合板２７の下部の垂木（ツーバイ材）３１と垂木（ツーバイ材）３１の間の空間には、下屋の小屋裏通気をするために、図６ｂで示すように、垂木（ツーバイ材）３１と垂木（ツーバイ材）３１の間の寸法に合わせてダンボールの両端がバネの役目を果たすように折返して製作された屋根断熱通気層用スペーサー（商品名は通気くん）８０が屋根用合板２７と屋根断熱通気層用スペーサー（商品名は通気くん）８０との間に通気層２９を構成するように嵌め込まれる。なお、この図６では屋根断熱通気層用スペーサー（商品名は通気くん）８０は、垂木（ツーバイ材）３１と垂木（ツーバイ材）３１の間の１ヶ所だけに記載しているが、当然、横並びの、垂木（ツーバイ材）３１と垂木（ツーバイ材）３１の間にも同様に取付けられる。また、屋根断熱通気層用スペーサー（商品名は通気くん）８０を取付ける際は、屋根断熱通気層用スペーサー（商品名は通気くん）８０の両端の折返し部８２、折返し部８３がバネの役目を果たして、垂木（ツーバイ材）３１と垂木（ツーバイ材）３１の間に挿入するだけで落下しないようになっているが、念のため、屋根断熱通気層用スペーサー（商品名は通気くん）８０の両端の折返し部８２、折返し部８３をタッカー等の工具を用いて、針（ステープル）（図示せず）で垂木（ツーバイ材）３１に固定するのが望ましい。さらに、横通気受材３７は縦方向の通気を良くするため、隣り合う横通気受材３７同士の横の隙間を３０ｍｍ以上空けて通気用隙間８５を設け、垂木（ツーバイ材）３１と構造用合板３５が接した上部の構造用合板３５に釘３８により取付けられる。
【００３５】  図７は、図６で説明した屋根用合板２７の上部と横通気受材３７に対して防水シート２８を取付けた状態を示す。このように防水シート２８をタッカー等の工具を用いて、針（ステープル）８９で屋根用合板２７の上部と横通気受材３７に対して取付ける事により、万一、雨水が屋根材の隙間から防水シート２８に浸入した場合でも下屋に雨水が侵入する事を防止している。さらに防水シート２８をこのように取付ける事により、図１と図２で説明した通り、軒下１１に設けられた水下側の通気部９から小屋裏空間部５の通気層２９に流れ込んだ外気が、横通気受材３７同士の隙間８５から上方に換気される。
【００３６】  図８は、図７で説明した防水シート２８の上部に屋根材（コロニアル）２６を施工し、さらに、その屋根材（コロニアル）２６の水上側の上部に釘２４で笠木３６を取付けた状態を示す。
【００３７】  図９ａは、図３で説明した下部雨押さえ板金２３を斜視図で示す。図９ｂは図９ａの下部雨押さえ板金２３を、図８で説明した笠木３６の上部に下部雨押さえ板金２３を取付けた状態を斜視図で示す。下部雨押さえ板金２３は、図３ｂで説明した水抜き垂直部５５が横通気受材３７に密着するように、笠木押え部６６が笠木３６の上に被せられ、取付部５９に開けられた穴（図示せず）に釘２５を打ち付けて、下部雨押さえ板金２３は笠木３６に固定される。さらに、釘２５の頭にはコーキング（図示せず）がなされ、雨水が打ち付けた釘２５と取付部５９との隙間から屋根内部に浸入しないように施工される。
【００３８】  図１０ａは、図３で説明した上部雨押さえ板金２２を斜視図で示す。図１０ｂは図１０ａの上部雨押さえ板金２２を、図９ｂで説明した下部雨押さえ板金２３の上に被せた状態を斜視図で示す。図３ｃで説明したように、下部水切部５３の下端と水返し部５７と水戻し部５６の突端６２との隙間を約１０ｍｍとなるようにし、上部雨押さえ板金２２が下部雨押さえ板金２３の上に被せられ、上部取付部５１に開けられた穴（図示せず）に釘４０を打ち付けて上部雨押さえ板金２２は構造用合板３５に固定される。
【００３９】    図１１は、図１０で説明した構造用合板３５と、その前面に取付けられた上部雨押さえ板金２２の上部取付部５１の前面に、防水シート４２をタッカー等の工具を用いて、針（ステープル）９１で取付けた状態を示す。このように防水シート４２を上部雨押さえ板金２２に被せて取付ける事により、万一、外壁用パネル２０の内部に雨水が浸入した場合においても、構造用合板３５が雨に濡れることなく、雨水は防水シート４２の室外側を流れて上部雨押さえ板金２２の表面を経て下屋の屋根材（コロニアル）２６に流れる。
【００４０】  図１２は、図１１で説明した防水シート４２の前面に、一定の横間隔を開けて縦通気受材２１を釘４０で取付けた状態を斜視図で示す。このように取付けられた縦通気受材２１の前面には、外壁用パネル（サイディング）２０を引っ掛けて留めるための、留付金具（図示せず）が取付けられ、図１３で示すように、留付金具（図示せず）に外壁用パネル（サイディング）２０を引っ掛けて固定し外壁が形成される。
【００４１】  以上の実施の形態に基づいて、本発明に係る雨押さえ板金の構造と施工方法について詳細に説明してきたが、本発明は、以上の実施の形態に限定されるものではなく、発明の趣旨を逸脱しない範囲において各種の改変をなしても、本発明の技術的範囲に属するのはもちろんである。
【００４２】  図２において、横通気受材３７にツーバイ材を用いて、構造用合板３５側の垂木３１の上部に取付け、その横通気受材３７に屋根用合板（野地板）２７を当接するように取付け横通気受材３７の厚みを利用して通気層を構成する事も、もちろん可能である。
【００４３】  図３ｂの下部雨押さえ板金２３を固定する方法に関しては、笠木３６に対して笠木押え５８の取付部５９に釘を打ち付けて固定する方法以外にも、さらに下部雨押さえ板金２３が安定して固定されるように、水抜き垂直部５５を釘で横通気受材３７に固定する等の方法も当然可能である。
【００４４】  図５において、垂木を壁の構造用合板に固定する取付け方法については、垂木受材の上部に垂木の一部をカットして乗せて固定する方法にこだわらず。金物等を利用して垂木を構造用合板に固定する事も当然可能である。
【図面の簡単な説明】
【００４５】
【図１】下屋の小屋裏空間の換気方法についての実施形態を側面図で示す。
【図２】下屋の屋根の水上側（図１のＡ部）を説明するための断面図である。
【図３】下部雨押さえ板金と上部雨押さえ板金の主要部の寸法図と、その下部雨押さえ板金と上部雨押さえ板金を組合わせた場合の組み図である。
【図４】図２における小屋裏空間の通気と外壁通気の空気の流れを点線と矢印で示す。
【図５】スタット（ツーバイ材）に構造用合板を取付け構造用合板に垂木（ツーバイ材）を施工した状態を、建築中の外壁と下屋の屋根の斜視図で示す。
【図６】図５の斜視図に、屋根用合板（野地板）と横通気受材と屋根断熱通気層用スペーサー（通気くん）を施工した状態を斜視図で示す。
【図７】図６の斜視図に、防水シートを針（ステープル）で取付けた状態を斜視図で示す。デュポン社のタイベックシート等の防水シートは透明では無いが、この図７においては、防水シートを取付けた状態を分かりやすく説明するため、防水シートを透明形状で表した。
【図８】図７の斜視図に、屋根材（コロニアル）と笠木を施工した状態を斜視図で示す。
【図９】図８の斜視図に、下部雨押さえ板金を取付けた状態を斜視図で示す。
【図１０】図９の斜視図に、上部雨押さえ板金を取付けた状態を斜視図で示す。
【図１１】図１０の斜視図に、防水シートを針（ステープル）で取付けた状態を斜視図で示す。デュポン社のタイベックシート等の防水シートは透明では無いが、この図１１においては、防水シートを取付けた状態を分かりやすく説明するため、防水シートを透明形状で表した。
【図１２】図１１の斜視図に、縦通気受材を施工した状態を斜視図で示す。
【図１３】図１２の斜視図に、外壁用パネル（サイディング）を施工した状態を斜視図で示す。
【符号の説明】
【００４６】Ａ部                下屋の屋根水上側
１                  枠組壁工法住宅
２                  屋根
３                  ２階外壁
４                  水上側の通気部
５                  小屋裏空間
６                  下屋
７                  点線と矢印
８                  屋根
９                  水下側の通気部
１０                １階外壁
１１                軒下
２０                外壁用パネル（サイディング）
２１                縦通気受材
２２                上部雨押さえ板金
２３                下部雨押さえ板金
２４                釘
２５                釘
２６                屋根材（コロニアル）
２７                屋根用合板（野地板）
２８                防水シート
２９                通気層
３０                断熱材
３１                垂木（ツーバイ材）
３２                垂木受材
３３                石膏ボード
３４                断熱材
３５                構造用合板
３６                笠木
３７                横通気受材
３８                釘
３９                通気層
４０                釘
４１                スタット（ツーバイ材）
４２                防水シート
４３                釘
４７                点線と矢印
４８                点線と矢印
５１                上部取付部
５２                テーパー部
５３                下部水切部
５４                折曲部
５５                水抜き垂直部
５６                水戻し部
５７                水返し部
５８                笠木押え
５９                取付部
６０                下側水切部
６１                水溜り部
６２                突端
６３                水溜り上部
６４                隙間
６５                隙間
６６                笠木押え部
７０                釘
７１                釘
７２                釘
７９                通気層
８０                屋根断熱通気層用スペーサー（商品名は通気くん）
８２                折返し部
８３                折返し部
８４                釘
８５                通気用隙間
８９                針（ステープル）
９１                針（ステープル）
９２                通気層
【図１】
0005915925.tif 000002
【図２】
0005915925.tif 000003
【図３】
0005915925.tif 000004
【図４】
0005915925.tif 000005
【図５】
0005915925.tif 000006
【図６】
0005915925.tif 000007
【図７】
0005915925.tif 000008
【図８】
0005915925.tif 000009
【図９】
0005915925.tif 000010
【図１０】
0005915925.tif 000011
【図１１】
0005915925.tif 000012
【図１２】
0005915925.tif 000013
【図１３】
0005915925.tif 000014